【事件の表示】
　特願２００１−２７３０１３「インクジェットカートリッジおよびインクジェット記録装置」拒絶査定不服審判事件〔平成１４年　３月２６日出願公開、特開２００２−　８６７０９〕について、次のとおり審決する。
【結　論】
　本件審判の請求は、成り立たない。
【理　由】
第１　手続の経緯
　本件出願は、平成３年１月１８日に出願した特願平３−４４００号の一部を、平成１０年８月１７日に新たな特許出願とした特願平１０−２３０６３６号の一部を、さらに平成１２年１２年２５日に新たな特許出願とした特願２０００−３９２７５１号を基に、平成５年改正前特許法第４４条第１項の規定に基づく特許出願として平成１３年９月１０日に新たに特許出願された特願２００１−２７３０１３号であって（以下、平成３年１月１８日を「本件出願日」という。）、本件の出願からの主だった経緯を箇条書きにすると次のとおりである。
・平成１３年　９月１０日　　　本件出願
・平成１３年１０月１０日　　　審査請求
・平成１４年　１月２８日付け　原審にて拒絶理由通知
・平成１４年　４月　８日　　　意見書及び手続補正書提出
・平成１４年　４月２６日付け　原審にて拒絶査定
・平成１４年　６月　６日　　　本件審判請求
・平成１４年　７月　８日　　　手続補正書提出
・平成１５年１０月１７日付け　当審にて拒絶理由通知
・平成１５年１２月２２日　　　意見書及び手続補正書提出
　
第２　当審における拒絶理由の骨子
　当審における拒絶理由は次のような理由を含んでいる。
　請求項１乃至請求項８に係る発明は、特開平２−２７９３４４号公報（以下「引用例１」という。）、特開平１−２９６３０３号公報（以下、「引用例２」という。）及び特開平２−１８５４６６号公報（以下、「引用例３」という。）に記載された発明に基づいて当業者が容易に発明をすることができたものであり、請求項９乃至請求項１１に係る発明は、特開平２−２３８９５２号公報（以下、「引用例４」という。）及び引用例１に記載された発明に基づいて当業者が容易に発明をすることができたものであり、請求項１２に係る発明は、引用例１及び引用例４に記載された発明に基づいて当業者が容易に発明をすることができたものであるから、特許法第２９条第２項の規定により特許を受けることができない。
　
第３　当審の判断
１．請求項１に係る本願発明の記載
　本願の請求項１に係る発明は、平成１５年１２月２２日付けで補正された明細書及び図面の記載からみて、特許請求の範囲の請求項１に記載された次のとおりのものと認める。
「インクジェット記録装置に対して交換可能に構成されるインクジェットカートリッジであって、
　当該インクジェットカートリッジを識別するための識別データと、当該インクジェットカートリッジの特性を示す特性データと、を備える記憶手段を有するとともに、
　該記憶手段は、前記カートリッジの装置とのジョイント部となる接点電極と接続されており、該識別データを前記特性データに先立って前記インクジェット記録装置に対して独立に転送可能な状態で格納することを特徴とするインクジェットカートリッジ。」（以下、「本願発明」という。）
　
２．引用刊行物の記載事項
　当審における拒絶理由で通知した引用例１には、図面と共に下記の記載がある。
　記載事項１−ａ：「インク室を有するハウジングと該インク室と流体を連通する複数のオリフィスと該オリフィスを通して前記インク室からインクを噴出させる手段とを有するインクジェット印刷ヘッドにおいて、前記ハウジングには前記印刷ヘッドの動作特性に関するデータを記憶する記憶手段が備えられていることを特徴とするインクジェット印刷ヘッド。」（特許請求の範囲第１項）
　記載事項１−ｂ：「前記記憶手段が前記インク室内のインク色に関するデータを記憶していることを特徴とする請求項（１）記載のインクジェット印刷ヘッド。」（特許請求の範囲第２項）
　記載事項１−ｃ：「前記記憶手段が前記インク室内のインクの量に関するデータを記憶していることを特徴とする請求項（１）記載のインクジェット印刷ヘッド。」（特許請求の範囲第３項）
　記載事項１−ｄ：「前記記憶手段が前記印刷ヘッドのオリフィスとハウジングとの相対的なアライメントに関するデータを記憶していることを特徴とする請求項（１）記載のインクジェット印刷ヘッド。」（特許請求の範囲第４項）
　記載事項１−ｅ：「前記記憶手段が前記印刷ヘッドの動作周波数に関するデータを記憶していることを特徴とする請求項（１）記載のインクジェット印刷ヘッド。」（特許請求の範囲第５項）
　記載事項１−ｆ：「必要なオリフィスのすべてが形成された単一のオリフィス板を用いて、印刷ヘッドの一部または全部を一つのアッセンブリーに構成することが行われてきた。」（第２頁左上欄第１７行目〜同欄第２０行目）
　記載事項１−ｇ：「もし印刷を構成するインクの一つがなくなってしまうと、作業を中断しなければならず、消耗した印刷ヘッドを交換した後作業を再開することになる。」（第２頁左下欄第９行目〜同欄第１２行目）
　記載事項１−ｈ：「第１図乃至第３図は、一つまたはそれ以上の印刷アッセンブリー１２、各印刷アッセンブリーに付随する記憶素子１４、プリンター回路１６、プリンター回路を記憶素子に接続するインターフェース１８を備えた本発明の実施例による印刷装置１０を示す。図示した印刷アッセンブリー１２は、ハウジング２０を備えたインクジェット印刷ヘッド、インク室２２、インク室と流体を連通する複数のオリフィス２６を有するオリフィス板２４、及びインクをオリフィスから噴出させるための複数の噴射用抵抗２８を備えている。」（第３頁左上欄第１９行目〜同頁右上欄第４行目）
　記載事項１−ｉ：「印刷ヘッド１２のハウジングには、記憶素子１４が取りつけてあり、この記憶素子は、たとえば、磁性媒体片、半導体メモリー、レーザーによる書込み読取りの可能な光学媒体等によって構成される。このメモリーには印刷ヘッドに関するデータが記載される。かかる情報は、印刷ヘッドの本性（製造日、製造場所、ロット番号、シリアル番号、その他）、あるいは印刷ヘッドのある種の動作特性（オリフィスのアライメント、インク色、インクの液位、動作周波数、インクの希釈度、その他）を特性化する。このデータは印刷ヘッドから読み取られ、所望に応じ使用または表示されうる。」（第３頁右上欄第１３行目〜同頁左下欄第４行目）
　記載事項１−ｊ：「印刷ヘッドのメモリー１４はまた、印刷ヘッド本体２０上のオリフィス板のアライメントに関するデータを含んでいる。」（第４頁右上欄第１３行目〜同欄第１５行目）
　記載事項１−ｋ：「電源投入時磁気片が読取／書込みヘッド４４によって読まれるとき、その印刷ヘッドを使用しているプリンターによって使用されうる。印刷ヘッドから読み取られたアラインメントデータはプリンターの補償回路５２に付随するメモリー５０に記憶される。」（第４頁右下欄第８行目〜同欄第１４行目）
　
３．引用例１記載の発明の認定
　上記記載事項１−ｇ及び記載事項１−ｈより、印刷ヘッド１２は印刷装置１０に対して交換可能とされていることが明らかであるから、引用例１の上記記載事項１−ａ乃至記載事項１−ｋを含む明細書及び図面の記載からみて、引用例１には、次のような発明が記載されていると認めることができる。
「印刷装置１０に交換可能なインクジェット印刷ヘッド１２において、インク室２２を有するハウジング２０には印刷ヘッド１２の動作特性に関するデータ及び印刷ヘッド１２の本性に関するデータが印刷装置１０に読取り可能に記憶された記憶素子１４が備えられ、該記憶素子１４の印刷ヘッド１２の動作特性に関するデータ及び印刷ヘッド１２の本性に関するデータは印刷装置１０に読込・記憶されることを特徴とするインクジェット印刷ヘッド。」（以下、「引用発明」という。）
　
４．本願発明と引用発明との一致点及び相違点の認定
　引用発明の「インクジェット印刷ヘッド１２」、「記憶素子１４」、「印刷ヘッド１２の動作特性に関するデータ」、「印刷ヘッド１２の本性に関するデータ」及び「印刷装置１０」はそれぞれ、上記記載事項（特に、記載事項１−ａ、記載事項１−ｉ及び記載事項１−ｋ）より、本願発明の「インクジェットカートリッジ」、「記憶手段」、「インクジェットカートリッジの特性を示す特性データ」、「インクジェットカートリッジを識別するための識別データ」及び「インクジェット記録装置」に相当する。
　また、引用発明の「データが印刷装置１０に読取り可能に記憶された記憶素子１４」は、“データを備える記憶手段”ということができ、さらに、“データを印刷装置１０に転送可能な状態で格納する記憶手段”ともいうことができる。
　したがって、本願発明と引用発明とは、
「インクジェット記録装置に対して交換可能に構成されるインクジェットカートリッジであって、当該インクジェットカートリッジを識別するための識別データと、当該インクジェットカートリッジの特性を示す特性データと、を備える記憶手段を有するとともに、該記憶手段は、該識別データと前記特性データを前記インクジェット記録装置に転送可能な状態で格納するインクジェットカートリッジ。」である点で一致し、次の点で相違する。
＜相違点１＞
　記憶手段が、本願発明ではカートリッジの装置とのジョイント部となる接点電極と接続されているのに対して、引用発明１ではその点が明らかでない点。
＜相違点２＞
　記憶手段が、本願発明では識別データを特性データに先立ってインクジェット記録装置に対して独立に転送可能な状態で格納するものであるのに対して、引用発明１ではその点が明らかでない点。
　
５．相違点についての判断及び本願発明の進歩性の判断
（１）＜相違点１＞について
　上記記載事項１−ｉには、記憶素子１４は、磁性媒体片、半導体メモリー、レーザーによる書込み読取りの可能な光学媒体等が使用可能であること及び記憶されるデータが印刷ヘッドの本性等の更新する必要のないデータでもよいこと、すなわち、記憶素子１４は読取り専用でもよいことが明らかであり、また、交換可能なインクカートリッジにインクの種類・製造日時等の情報が記憶された記憶手段を設け、インク式プリンタの中央制御装置と電気的に接続することは、例えばＰＣＴ国際公開９０／００９７４号パンフレット（ＷＯ９０／００９７４、１９９０年２月８日公開）等に記載されているとおり、本件出願日前において周知の技術事項（以下、「周知技術１」という。）であると認められ、前記周知技術１を引用発明に採用することに格別の阻害要因がなく、当業者が容易に想到しうるものであり（記憶手段が読取り専用であればなおさらのこと）、さらに、前記周知技術１を引用発明に採用するに際し、接点電極を電気的接続におけるジョイント部として構成することは、例えば実願昭６３−１６９１５３号（実開平２−８８７６１号）のマイクロフィルム、特開昭６３−１１５７６２号公報及び特開昭６０−９７４３２号公報等に記載されているとおり、本件出願日前において周知の技術事項（以下、「周知技術２」という。）であると認められるから、当業者が容易に想到し得るものである。
　したがって、引用発明において、相違点１に係る構成を採用することは、当業者が容易に想到し得ることであって、その作用効果は、引用発明、周知技術１及び周知技術２の記載から予測し得る範囲の格別なものでない。
　
（２）＜相違点２＞について
　請求項１に係る発明の「識別データを前記特性データに先立って前記インクジェット記録装置に対して独立に転送可能な状態で格納する」という構成は、データの格納状態を、作用的に特定しているものであって、具体的にどのような格納状態になっているのか、請求項１の記載からは明らかではないが、発明の詳細な説明に記載された「図７０（Ｂ）は図６９（Ｂ）のＥＥＰＲＯＭ８５４の一例を示す図であり、本実施例に関する濃度むら等の情報が記憶されている。これらの情報は、本体装置側からの要求信号（アドレス信号）Ｄ１に応じてシリアル通信により本体側装置へ出力される。」（段落【０１６８】）、及び「ＥＥＰＲＯＭ内には製造番号、濃度むら補正データ、インク色データ、温度センサ、即ちダイオードセンサの特性（ランク分類）などが書き込まれている。この実施例では、１Ｋｂｉｔ（１２８ｂｙｔｅ）のものを使用している。ノズル数が１２８なので各ノズルに対応した濃度むら補正データが１２８あり、夫々が６ｂｉｔ、即ち０から６３までの６４種類の補正テーブルの中から１つを選択できるようになっている。ＥＥＰＲＯＭのアドレスがノズル番号と対応しており、各アドレスの下位６ｂｉｔがそのノズルの濃度補正テーブル番号となっている。製造番号については、本実施例では２０ｂｉｔ用意した。図８３から明らかなように、濃度補正データ以外のデータについては各アドレスの上位２ｂｉｔを利用している。」（段落【０２２０】）との説明からみて、識別データ及び特性データが、記憶素子の決まったアドレスにそれぞれ格納されており、インクジェット記録装置からのアドレス指定により、指定されたアドレスに格納されたデータがインクジェット記録装置に転送されるような構成であれば、「識別データを前記特性データに先立って前記インクジェット記録装置に対して独立に転送可能な状態で格納」していることと解される。
　なお、識別データを特性データに先立って転送する点については、発明の詳細な説明の記載からみて、インクジェット記録装置側において識別データのアドレスを先に指定することによって実現される作用であって、「インクジェットカートリッジ」自体の構成ではない。
　ここで、引用例２には、「２３ａ、２３ｂはデータ領域であり、それぞれデータＲ１、Ｒ２が格納される。例えば、Ｍ機能信号等が格納される。」（第２頁左下欄第１３行〜同欄第１５行）、及び「ＰＣ１０がＣＮＣ２０のデータＲ１を読む場合には、・・・アドレスを指定することにより、ＣＮＣ２０側のＲＡＭに格納されているデータＲ１の内容を直接読み込む。」（第２頁右下欄第３行目〜同欄第９行目）と記載されており、引用例３には、「文字発生手段としてフォントパターンデータが書き込まれたＣＧＲＯＭ７」（第３頁左上欄第１８行目〜同欄第２０行目）、及び「印字出力のために前記ホスト機器２から文字コード情報たるキャラクタコードが送られてくると、前記ＣＰＵ４は前記キャラクタコード・ＣＧアドレス対応テーブルを参照し得られたアドレスにより前記ＣＧＲＯＭ７をアクセスし読み出したフォントパターンデータを前記フレームメモリ８に展開する。」（第３頁右下欄第１０行目〜同欄第１６行目）と記載されていることから、「複数のデータが記憶素子の決まったアドレスにそれぞれ格納されており、アドレスを指定することにより、所望のデータのみが記憶素子から転送されるよう構成する」技術は、本件出願日前において周知の技術事項（以下、「周知技術３」という。）であると認められる。
　そして、引用例１には、「記憶素子１４」として「半導体メモリ」を用いることが例示されており（記載事項１−ｉ参照。）、当該「半導体メモリ」が、上記周知技術３のＲＡＭやＲＯＭ等の記憶素子と同様のものであることは明らかなこと、及び、引用例１に記載された「記憶素子１４」には、上記周知技術３の「記憶素子」と同様に、複数のデータを格納しているものであることからみて、引用例１に記載された「記憶素子１４」に、識別データ、及び特性データを格納する際に、上記周知技術３のデータ格納の手法を採用し、各データを決められたアドレスに格納して、当該アドレスの指定により所望のデータを転送することができるように構成すること、すなわち、相違点２に係る本願発明のように構成することは、当業者が容易に想到し得たことと認められる。
　
（４）本願発明の進歩性の判断
　相違点１及び相違点２に係る本願発明の構成を採用することは、いずれも当業者にとって想到容易であり、これら相違点に係る構成を採用したことによる格別な作用効果を認めることもできない。
　したがって、本願発明は、引用発明、周知技術１、周知技術２及び周知技術３に基づいて当業者が容易に発明できたものであるから、特許法第２９条第２項の規定により特許を受けることができない。
　ところで、本件審判請求人は、平成１５年１２月２２日付意見書の中で、請求項１乃至９の効果として“速やかなカートリッジの確認と印刷時間の長期化防止”（第２頁第１３行目〜同頁第１７行目及び第２頁第３３行目〜同頁第３５行目参照。）を主張すると共に、引用例１との差異として「引用例１ではヘッドが切り替わるたびに常にすべてのデータが読み込まれる…非常にプリント開始時間までの時間を要することになります。」(第２頁第２２行目〜同頁第２８行目参照。)を主張し引用例１乃至引用例４からの容易性を否定している。しかし、これらの主張は、インクジェットカートリッジ自体の発明ではなく、インクジェットカートリッジが装着された際の識別データの読み出し・比較及びその結果に基づくその他のデータの取り込みの有無等の処理（以下、「その余の構成」という。）が特定された発明に基づく主張であるから、これを採用することはできない。
　ここで、仮に、本願発明がその余の構成を備えているものであったとしても、情報処理装置本体に着脱可能な情報記憶媒体において、情報記憶媒体には、コンテンツにあたる情報以外に、他の情報記憶媒体との識別情報が記憶されており、他方、情報処理装置本体には、過去に装着した情報記憶媒体のコンテンツにあたる情報と共に識別情報が記憶されており、情報処理装置本体に情報記憶媒体を装着した際に、情報記憶媒体の識別情報を読み込んで、情報処理装置本体に記憶されているコンテンツにあたる情報の識別情報と一致するか否かを判断し、一致する場合は、コンテンツに当たる情報は読み込まないようにすることは、例えば特開平１−１０６１６５号公報及び特開平２−２１４０８７号公報等に記載されているとおり、本件出願日前において周知の技術事項であるから、当業者が容易に想到し得るものである。
　
第４　むすび
　以上のとおり、本願の請求項１に係る発明は特許法第２９条第２項の規定により特許を受けることができないから、拒絶を免れない。
　本願の請求項１に係る発明が特許法第２９条第２項の規定により特許を受けることができないから、本願のその余の請求項に係る発明について検討するまでもなく、本願は拒絶を免れない。
　よって、結論のとおり審決する。